(57)【要約】      （修正有）【課題】着用者の動き（たとえば、顔や首の動き）が大きい場合であっても、着用者の顔面からフェイスシールドのズレが生じにくく、装着安定性が極めて向上したフェイスシールドを提供する。【解決手段】使用者顔面の正面を保護するための正面透明シールド部Ａと、使用者顔面の左右側面を挟持するための一対の側面部とを有するフェイスシールドであって、正面透明シールド部は、透明材料から構成され、側面部は、正面透明シールド部に連結され、軟質プラスチックから構成されるとともに気体を保持するための中空構造を有する。【選択図】図１
0003228796.tif 000002
【実用新案登録請求の範囲】
【請求項１】
使用者顔面の正面を保護するための正面透明シールド部（Ａ）と、
使用者顔面の左右側面を挟持するための一対の側面部（Ｂ）とを有するフェイスシールドであって、
前記正面透明シールド部（Ａ）は、透明材料から構成され、
前記側面部（Ｂ）は、正面透明シールド部（Ａ）に連結され、軟質プラスチックから構成されるとともに気体を保持するための中空構造を有することを特徴とするフェイスシールド。
【請求項２】
さらに、側面部（Ｂ）の中空構造に、気体を側面部に圧入又は抜気自在にするための空気弁（Ｃ）を備えた、請求項１に記載のフェイスシールド。
【請求項３】
さらに、側面部（Ｂ）の上辺および正面透明シールド部（Ａ）の上辺に連結された上面部（Ｄ）を備え、正面透明シールド部（Ａ）、側面部（Ｂ）および上面部（Ｄ）とから形成されるスペース部（Ｅ）が形成されていることを特徴とする請求項１または２に記載のフェイスシールド。
【考案の詳細な説明】
【技術分野】
【０００１】
本考案は、フェイスシールドに関し、より具体的には、着用者の顔面からフェイスシールドのズレが生じにくく、装着安定性が良好なフェイスシールドに関する。
【背景技術】
【０００２】
インフルエンザや新型コロナウイルスによる肺炎などの感染症は、感染者が、咳やくしゃみなどをすることにより、飛散する飛沫に含まれる病原体が、他者の口や鼻などの粘膜上皮に直接触れて感染すること（飛沫感染）が多い。
【０００３】
飛沫感染は、感染の伝搬力が強く、エンデミック（地域流行）、エピデミック更にはパンデミック（世界的流行）に短期間で至ることもある。
【０００４】
そのため、飛沫感染を防止して、感染症の蔓延を小規模に抑えるために、マスクとともにフェイスシールドが汎用されている。フェイスシールドとしては、様々なタイプのものが開発されている。たとえば、非特許文献１では、Ａ４クリアファイルを使用して作成される、ディスポーザル用フェイスシールドが開示されている。
【０００５】
かかるフェイスシールドは、「顔の正面・頭頂・後頭部の３点で支持されていて安定性が高く、頭頂部の通気性も良い」との記載があるように、装着安定性についての利点が記載されている。
【先行技術文献】
【非特許文献】
【０００６】
【非特許文献１】ＰＡＮＤ  ＡＩＤ  ホームページ（ｈｔｔｐｓ：／／ｗｗｗ．ｐａｎｄａｉｄ．ｊｐ／ｈｙｇｉｅｎｅ／ｆａｃｅ−ｓｈｉｅｌｄ）
【考案の概要】
【考案が解決しようとする課題】
【０００７】
しかしながら、非特許文献１に開示されたフェイスシールドを含め、従来のフェイスシールドは、装着安定性について依然として改善の余地があり、特に、着用者の動き（たとえば、顔や首の動き）が大きい場合、着用者は、着用者の顔面からフェイスシールドのズレが経時的に生じてしまうため、定期的にそのズレを直す必要があった。また、装着時に着用者の顔面とシールド正面との間には空間が小さいため、装着しながらの飲食は困難であった。
【０００８】
そこで、本考案者は、従来のフェイスシールドの構造を鋭意検討した結果、使用者顔面の左右側面を挟持するための一対の側面部が、装着の際には、空気などの気体を圧入することができるような中空構造を考案した。そして、このような中空構造を有することで、着用者の顔面にフェイスシールドが密着し、仮に、着用者の動き（たとえば、顔や首の動き）が大きい場合であっても、着用者の顔面からフェイスシールドのズレが生じにくく、装着安定性を向上させることができること見出した。
また、所定の上面部を設けることで、装着時に着用者の顔面とシールド正面との間に十分な空間を形成して、装着しながら、容易に飲食可能になることも見出した。
【０００９】
すなわち、本考案は、着用者の動き（たとえば、顔や首の動き）が大きい場合であっても、着用者の顔面からフェイスシールドのズレが生じにくく、装着安定性が極めて向上したフェイスシールドを提供することを目的とする。
【課題を解決するための手段】
【００１０】
本考案に係るフェイスシールドは、使用者顔面の正面を保護するための正面透明シールド部（Ａ）と、使用者顔面の左右側面を挟持するための一対の側面部（Ｂ）とを有するフェイスシールドであって、前記正面透明シールド部（Ａ）は、透明材料から構成され、前記側面部（Ｂ）は、正面透明シールド部に連結され、軟質プラスチックから構成されるとともに気体を保持するための中空構造を有することを特徴とする。
【００１１】
また、本考案に係るフェイスシールドにおいては、さらに、側面部（Ｂ）に、気体を側面部の中空構造に圧入又は抜気自在にするための空気弁（Ｃ）を備えていることが好ましい。
【００１２】
さらに、本考案に係るフェイスシールドにおいては、さらに、側面部（Ｂ）の上辺および正面透明シールド部（Ａ）の上辺に連結された上面部（Ｄ）を備え、正面透明シールド部（Ａ）、側面部（Ｂ）および上面部（Ｄ）とから形成されるスペース部（Ｅ）が形成されていることを特徴とする
【考案の効果】
【００１３】
本考案に係るフェイスシールドは、着用者の動き（たとえば、顔や首の動き）が大きい場合であっても、着用者の顔面からフェイスシールドのズレが生じにくく、高い装着安定性を発揮することができる。ひいては、感染症の罹患・蔓延を有効に予防できる。
【図面の簡単な説明】
【００１４】
【図１】図１は、本考案に係るフェイスシールドの一態様を示す正面図である。
【００１５】
【図２】図２は、本考案に係るフェイスシールドの一態様を示す右側面図である。
【００１６】
【図３】図３は、本考案に係るフェイスシールドの一態様を示す背面図である。
【００１７】
【図４】図４は、本考案に係るフェイスシールドであって、正面透明シールド部に図柄が表示された態様を示す正面図である。
【００１８】
【図５】図５は、本考案に係るフェイスシールドであって、上面部（Ｄ）を備え、スペース部（Ｅ）が形成された態様を示す図である。
【考案を実施するための形態】
【００１９】
以下、本考案に係るフェイスシールドについて、適宜図面を参照しながら詳細に説明する。
【００２０】
本考案に係るフェイスシールドは、飛沫感染を抑制するために使用されるフェイスシールドである。当該フェイスシールドは、図１〜３に示されるように、正面透明シールド部（Ａ）と一対の側面部（Ｂ）を有し、必要に応じて、空気弁（Ｃ）や頭部固定バンド（Ｄ）などの任意部材を有していてもよい。
【００２１】
図１の付番Ａは、正面透明シールド部（Ａ）を示す。正面透明シールド部（Ａ）は、使用者（装着者）顔面の正面を保護することを目的としている。装着者が咳がくしゃみをして、口又は鼻から飛沫が飛散したとしても、正面透明シールド部により当該飛沫の飛散を抑制することができる。
【００２２】
正面透明シールド部（Ａ）は、透明材料から構成されているため、使用者の視認性は良好である。ここで、透明材料としては、使用者の視覚を妨害しない程度の透明性（光の透過性）を有している材料あれば特に限定されない。
たとえば、アクリル樹脂、オレフィン系樹脂（ポリエチレン、ポリプロピレン）、ポリカーボネート、塩化ビニル系樹脂（ＰＶＣ）などの透明プラスチックやガラス（好ましくは強化ガラス）が挙げられる。
【００２３】
また、正面透明シールド部（Ａ）において、意匠性を向上するという観点からは、使用者の視認性を著しく妨げないものであれば、図４に示されるように、図柄が表示されていることが好ましい。
【００２４】
本考案に係るフェイスシールドにおいては、使用者の視認性を向上させるという観点からは、前記正面透明シールド部（Ａ）の少なくとも片面が、防曇処理されてなることが好ましい。
【００２５】
また、正面透明シールド部（Ａ）の形状や大きさは特に限定されないが、たとえば、図１〜２に示すように、幅（横幅）Ｌ１が２０ｃｍ程度、縦の長さＬ３が３５ｃｍ程度の寸法が例示される。
【００２６】
図２〜３の付番Ｂに示されるように、本考案に係るフェイスシールドは、一対の側面部（Ｂ）を有する。この側面部（Ｂ）は、一対で使用者顔面の左右側面を挟持し、使用者の顔面にフェイスシールドを固定する機能を有する。
【００２７】
側面部（Ｂ）は、正面透明シールド部に連結され、軟質プラスチックから構成されるとともに気体を保持するための中空構造を有する。ここで、軟質プラスチックとしては、たとえば塩化ビニル樹脂（ＰＶＣ）、オレフィン樹脂などが挙げられる。また、中空構造（側面部（Ｂ）の内部）に空気など気体を充填させることで、側面部（Ｂ）一対で使用者顔面の左右側面を挟持することが可能になる。ここで、側面部（Ｂ）のうち、気体を充填させる中空構造は、側面部（Ｂ）全面に設けられていてもよいが、側面部の周辺部に設けられていてもよい。なお、同様に、正面透明シールド部（Ａ）の周辺部も、軟質プラスチック製の中空構造を有していてもよい。
【００２８】
また、図１の付番Ｃに示されるように、本考案に係るフェイスシールドにおいては、側面部（Ｂ）に、気体を側面部に圧入又は抜気自在にするための空気弁（Ｃ）を備わっていることが好ましい。この空気弁（Ｃ）を有することで、側面部（Ｂ）の内部に容易に空気など気体を充填したり、抜気したりすることができる。
【００２９】
なお、側面部（Ｂ）の寸法は特に限定されないが、たとえば、側面部の長さＬ２および側面部の後部の高さＬ４は、２８ｃｍ程度である。
【００３０】
また、頭部を安定的に固定したり、より装着安定性を向上させたりするという観点からは、図２〜３の付番Ｇに示すように、頭部固定バンド（Ｇ）を備えることが好ましい。かかる頭部固定バンド（Ｇ）としては、ゴムバンド、ベルトなどが挙げられる。かかる頭部固定バンド（Ｇ）は、両端が側面部（Ｂ）または後述する上面部（Ｄ）に連結している。
【００３１】
本考案に係るフェイスシールドは、図５（１）〜（５）の付番Ｄに示されるように、上面部（Ｄ）を備えることが好ましい。当該上面部は、側面部（Ｂ）の上辺および正面透明シールド部（Ａ）の上辺に連結している。なお、「上辺」とは、本考案に係るフェイスシールドの着用者の頭部側の辺を言う。
【００３２】
また、上面部（Ｄ）を備える態様であれば、図５（５）に示されるように、着用者Ｈの顔面と正面透明シールド部Ａと両側面部Ｂと上面部Ｄとの間（これらの部材の内側）に、スペース部Ｅが形成される。
【００３３】
ここで、頭部を安定的に固定したり、より装着安定性を向上させたりするという観点からは、付番Ｇに示されるように、頭部固定バンド（ゴムバンドなど）を有していることが好ましい。
【００３４】
また、上面部Ｄの材質は、特に限定されないが、ＰＶＣなどの軟質プラスチックであることが望ましい。また、色調も特に限定されないが、透明であることが望ましい。
また、従来のフェイスシールドを着用しながら、飲食をすることは困難であったのに耐つぃて、上記のように本考案に係るフェイスシールドであって、十分なスペース部Ｅが形成されている態様では、着用しながらの飲食が容易になっている。感染リスクが抑制された状態での飲食が可能になる。
【００３５】
本考案に係るフェイスシールドは、通常の接客業務の他に、イベント会場の運営者およびその従業員の他、顧客にも好適に使用することができる。
【産業上の利用可能性】
【００３６】
本考案によれば、着用者の動き（たとえば、顔や首の動き）が大きい場合であっても、着用者の顔面からフェイスシールドのズレが生じにくく、装着安定性が極めて向上したフェイスシールドを提供することができ、感染症の罹患・蔓延を有効に予防できるという観点から産業上の利用可能性は高いものである。
【符号の説明】
【００３７】
１０、１１：本考案にかかるフェイスシールド
Ａ：正面透明シールド部
Ｂ：側面部
Ｃ：空気弁
Ｄ：上面部
Ｅ：スペース部
Ｆ：空気弁
Ｇ：頭部固定バンド
Ｈ：着用者
【図１】
0003228796.tif 000003
【図２】
0003228796.tif 000004
【図３】
0003228796.tif 000005
【図４】
0003228796.tif 000006
【図５】
0003228796.tif 000007